(57)【要約】【課題】篭の内壁に設置されたインターホンのスピーカの音量の調整を容易かつ迅速に行うことができるエレベータを提供すること。【解決手段】エレベータ１は、開閉可能な内扉２１を有し、建物に対して昇降可能に設置された篭２を備えている。篭２は、全体形状が略直方体の箱状をなし、篭２の内壁には、マイクロホンおよびスピーカを有するインターホン３と、非常呼ボタン４と、各操作を行う操作部と、各表示を行う表示部とが設置されている。また、エレベータ１は、篭２の外方に設置され、インターホン３および非常呼ボタン４と電気的に接続された監視・通信装置７を有している。監視・通信装置７は、エレベータ１を監視する監視部と、通信部と、記憶部と、インターホン３のスピーカの音量を調整する音量調整機構と、電源スイッチと、切替スイッチとを有している。【選択図】図１
0003147778.tif 000002
【実用新案登録請求の範囲】
【請求項１】
開閉扉を有する昇降可能な篭と、
前記篭の内壁に設置され、マイクロホンおよびスピーカを有するインターホンと、
前記篭の内壁に設置された非常呼ボタンと、
前記篭の外方に設置され、前記スピーカの音量を調整する音量調整機構と、
前記篭の外方に設置され、前記インターホンに電気的に接続され、電話回線を介して外部と信号を送受信する通信部と、
前記非常呼ボタンと前記音量調整機構とを電気的に接続すると共に、前記非常呼ボタンと前記通信部とを電気的に接続する電気接続ラインとを備えることを特徴とするエレベータ。
【請求項２】
前記音量調整機構は、前記電気接続ラインにより前記非常呼ボタンと前記音量調整機構とが接続され、前記非常呼ボタンの操作による前記スピーカの音量の調整が可能な状態と、前記非常呼ボタンと前記音量調整機構とが接続されていない状態とを切り替える切替スイッチを有する請求項１に記載のエレベータ。
【請求項３】
前記篭の外方に設置され、当該エレベータを監視する監視部を有する請求項１または２に記載のエレベータ。
【考案の詳細な説明】
【技術分野】
【０００１】
本考案は、エレベータに関するものである。
【背景技術】
【０００２】
エレベータの篭の内壁には、マイクロホンおよびスピーカを有するインターホンと、非常呼ボタンとが設置されており、その非常呼ボタンを所定時間押し続けると、インターホンと、そのエレベータを監視する監視センターに設置されている電話機とが、電話回線を介して接続され、通話可能となる（例えば、特許文献１参照）。
【０００３】
このようなインターホンのスピーカの音量は、そのインターホンを設置する際に適正レベルに調整（初期設定）され、また、エレベータのメンテナンス（保守、点検）の際、確認され、不適正レベルであれば、再度、適正レベルに調整（再設定）される。このスピーカの音量の調整は、下記のようにして行われる。
【０００４】
まず、作業者は、エレベータの篭内に入り、インターホンを用いて、監視センター側のオペレータ（監視センター側の電話）と通話し、スピーカから発せられるオペレータの音声を聴き取り、その音量（スピーカの音量）が適正レベルであるか否かを判別する。
【０００５】
前記スピーカの音量が適正レベルではないとき、例えば適正レベルよりも小さいときは、作業者は、建物の地下室や屋上等に設けられている機械室に行き、その機械室に設置されている音量調整機構の音量調整ボタンを操作し、スピーカの音量を上昇させる（変更する）。そして、作業者は、エレベータの篭内に戻り、インターホンを用いて、監視センター側のオペレータ（監視センター側の電話）と通話し、スピーカから発せられるオペレータの音声を聴き取り、その音量が適正レベルであるか否かを判別する。
【０００６】
前記スピーカの音量が適正レベルではないときは、作業者は、再度、機械室に行き、音量調整機構の音量調整ボタンを操作し、スピーカの音量を変更する。このような作業を、スピーカの音量が適正レベルになるまで、繰り返し行う。
【０００７】
なお、作業者が２名の場合は、一方の作業者が、エレベータの篭内に入り、スピーカの音量を確認し、他方の作業者が、エレベータの篭と機械室との間を行ったり、来たりして、前記一方の作業者から得た情報に基づいて、音量調整機構の音量調整ボタンを操作し、スピーカの音量を変更する。
【０００８】
しかしながら、このような従来のエレベータでは、作業者が、エレベータの篭と機械室との間を行ったり、来たりして、スピーカの音量を調整するので、その作業に手間がかかるとともに、長時間を要するという欠点があった。
【０００９】
【特許文献１】特開２０００−４８２８６号公報
【考案の開示】
【考案が解決しようとする課題】
【００１０】
本考案の目的は、篭の内壁に設置されたインターホンのスピーカの音量の調整を容易かつ迅速に行うことができるエレベータを提供することにある。
【課題を解決するための手段】
【００１１】
このような目的は、下記（１）〜（３）の本考案により達成される。
（１）  開閉扉を有する昇降可能な篭と、
前記篭の内壁に設置され、マイクロホンおよびスピーカを有するインターホンと、
前記篭の内壁に設置された非常呼ボタンと、
前記篭の外方に設置され、前記スピーカの音量を調整する音量調整機構と、
前記篭の外方に設置され、前記インターホンに電気的に接続され、電話回線を介して外部と信号を送受信する通信部と、
前記非常呼ボタンと前記音量調整機構とを電気的に接続すると共に、前記非常呼ボタンと前記通信部とを電気的に接続する電気接続ラインとを備えることを特徴とするエレベータ。
【００１２】
（２）  前記音量調整機構は、前記電気接続ラインにより前記非常呼ボタンと前記音量調整機構とが接続され、前記非常呼ボタンの操作による前記スピーカの音量の調整が可能な状態と、前記非常呼ボタンと前記音量調整機構とが接続されていない状態とを切り替える切替スイッチを有する上記（１）に記載のエレベータ。
【００１３】
（３）  前記篭の外方に設置され、当該エレベータを監視する監視部を有する上記（１）または（２）に記載のエレベータ。
【考案の効果】
【００１４】
本考案によれば、非常呼ボタンを操作してインターホンのスピーカの音量を調整（設定）することができ、これにより、作業者は、エレベータの篭と機械室との間を行ったり、来たりする必要がなく、その篭内においてスピーカの音量調整（音量設定）の作業を行うことができる。これによって、スピーカの音量調整を容易かつ迅速に行うことができる。
【考案を実施するための最良の形態】
【００１５】
以下、本考案のエレベータを添付図面に示す好適な実施形態に基づいて詳細に説明する。
【００１６】
図１は、本考案のエレベータの実施形態を示す斜視図（一部はブロック図）、図２は、図１に示すエレベータの篭の内部の内扉側を示す正面図、図３は、図１に示すエレベータのインターホン、非常呼ボタンおよび監視・通信装置を示すブロック図である。なお、説明の都合上、図１および図２中の上側を「上」、下側を「下」と言い、図２中の右側を「右」、左側を「左」と言う。
【００１７】
これらの図に示すエレベータ１は、複数階建ての図示しない建物（例えば、マンションやオフィスビル等）等に設置されている。図１および図２に示すように、エレベータ１は、開閉可能な内扉（開閉扉）２１を有し、建物に対して昇降可能に設置された篭（ケージ）２を備えている。また、建物の各階の前記内扉２１に対応する位置には、それぞれ、開閉可能な図示しない外扉（階床扉）が設置されており、各外扉は、それぞれ、内扉２１と連動して開閉するようになっている。
【００１８】
篭２は、全体形状が略直方体の箱状をなしている。この篭２の内壁２２には、マイクロホン３１およびスピーカ３２を有するインターホン３と、非常呼ボタン４と、各操作を行う操作部５と、各表示を行う表示部６とが、それぞれ、設置されている。
【００１９】
インターホン３は、内扉２１の右側に配置されており、非常呼ボタン４は、インターホン３の下側に配置されている。
【００２０】
また、操作部５は、内扉２１の右側であって、前記インターホン３および非常呼ボタン４の下側に配置されている。この操作部５は、篭２を停止させる階を選択する際に押す（操作する）複数の停止階指定ボタンと、内扉２１および外扉を開く際（内扉２１および外扉が閉じることを阻止する際）に押す扉開ボタンと、内扉２１および外扉を閉じる際に押す扉閉ボタンとを有している。
【００２１】
また、表示部６は、内扉２１の上側に配置されている。この表示部６には、篭２が位置している階と、篭２の移動方向（上昇／下降）とが表示される。
【００２２】
また、図１および図３に示すように、エレベータ１は、篭２の外方に設置された監視・通信（通話）装置７を有している。具体的には、建物の地下室や屋上等の篭２から離間した位置には、機械室が設けられており、監視・通信装置７は、その機械室に設置されている。この監視・通信装置７は、インターホン３および非常呼ボタン４のそれぞれと電気的に接続されている。なお、監視・通信装置７と非常呼ボタン４とは、図示の構成では、インターホン３を介して接続されているが、これに限らず、直接（インターホン３を介さずに）、接続されていてもよい。
【００２３】
図３に示すように、監視・通信装置７は、当該エレベータ１を監視（遠隔監視）する監視部（監視手段）７１と、通信部（通信手段）７２と、データやプログラム等を記憶する記憶部（記憶手段）７３と、インターホン３のスピーカ３２の音量を調整（設定）する音量調整機構（音量調整手段）７４と、電源スイッチ７５と、後述する通常モードとメンテナンスモードとを切り替える切替スイッチ７６とを有している。
監視部７１は、例えば、マイクロコンピュータ等で構成することができる。
【００２４】
また、記憶部７３は、例えば、ＲＯＭ、フラッシュメモリー、ＥＰＲＯＭ、ＥＥＰＲＯＭ、ＲＡＭのような半導体メモリーや、ハードディスク装置（Hard Disk Drive）等で構成することができる。
また、音量調整機構７４は、例えば、電子ボリューム回路等を有している。
【００２５】
通信部７２は、インターホン３に電気的に接続され、電話回線（通信回線）を介して外部、すなわち、本実施形態では、監視センターに設置された電話機（通話装置）８と信号を送受信（通信）するものである。この通信部７２により、インターホン３と電話機８との間で、通話を行うことができる。
【００２６】
前記電話回線としては、特に限定されず、例えば、携帯回線、ＰＨＳ回線、固定電話の回線等の公衆回線等を用いることができる。
【００２７】
また、監視センター側の電話機８としては、特に限定されず、例えば、固定電話、携帯電話、ＰＨＳ等を用いることができる。
【００２８】
ここで、エレベータ１は、監視・通信装置７により当該エレベータ１の監視を行う通常モード（監視モード）と、当該エレベータ１のメンテナンス（保守、点検）を行うときに設定されるメンテナンスモード（音量調整モード）とを有している。このモードの切替は、切替スイッチ７６で行うことができる。
【００２９】
通常モードに設定されているときは、監視・通信装置７によりエレベータ１の監視がなされる。また、非常呼ボタン４を操作して行う後述するスピーカ３２の音量の調整が不可能となる。
【００３０】
一方、メンテナンスモードに設定されているときは、監視・通信装置７によるエレベータ１の監視がなされない。また、非常呼ボタン４を操作して行うスピーカ３２の音量の調整が可能となる。
【００３１】
この場合、エレベータ１は、非常呼ボタン４と音量調整機構７４とを電気的に接続すると共に、非常呼ボタン４と通信部７２とを電気的に接続する電気接続ラインを有しており、切替スイッチ７６により、電気接続ラインにより非常呼ボタン４と音量調整機構７４とが接続され、非常呼ボタン４の操作によるスピーカ３２の音量の調整が可能な状態と、非常呼ボタン４と音量調整機構７４とが接続されていない状態とが切り替わるようになっている。
なお、切替スイッチ７６は、音量調整機構７４の一部として設けられていてもよい。
【００３２】
通常モードに設定されているとき、非常呼ボタン４を所定時間（例えば、５秒間）押し続けると（長押しすると）、通信部７２が作動し、その通信部７２から監視センター側の電話機８に電話がかかる。そして、監視センター側のオペレータが電話機８の受話器を取ると、インターホン３と電話機８とが、電話回線を介して接続され、通話可能となる。
【００３３】
次に、エレベータ１のインターホン３のスピーカ３２の音量を調整（設定）する際の手順について説明する。
【００３４】
スピーカ３２の音量調整は、インターホン３をエレベータ１に設置する際や、エレベータ１のメンテナンス（保守、点検）の際等に行われる。
【００３５】
スピーカ３２の音量を調整する際は、まず、作業者は、機械室に行き、監視・通信装置７の切替スイッチ７６を操作して、メンテナンスモードに設定する。
【００３６】
次に、作業者は、篭２のある場所に行き、その篭２内に入り戻り、非常呼ボタン４を所定時間押し続ける。これにより、通信部７２が作動し、その通信部７２から監視センター側の電話機８に電話がかかり、監視センター側のオペレータが電話機８の受話器を取ると、インターホン３と電話機８とが、電話回線を介して接続され、通話可能となる。
【００３７】
この状態において、非常呼ボタン４を操作すると、スピーカ３２の音量調整を行うことができる。すなわち、非常呼ボタン４を押すと、音量調整機構７４が作動し、スピーカ３２の音量が変更（増減）され、複数段階（例えば、１０段階）の音量のうちの所定の音量に調整することができる。本実施形態では、非常呼ボタン４を１回押すごとに、スピーカ３２の音量が１段階づつ増大する。そして、スピーカ３２の音量が最大レベルに到達した状態で、非常呼ボタン４を押すと、スピーカ３２の音量は、最小レベルになり、再度、ここから、非常呼ボタン４を１回押すごとに、スピーカ３２の音量が１段階づつ増大する。以降は、以上の動作が繰り替えされる。
【００３８】
なお、前記とは逆に、非常呼ボタン４を１回押すごとに、スピーカ３２の音量が１段階づつ減少するよう構成してもよい。
【００３９】
次に、作業者は、インターホン３を用いて、監視センター側のオペレータと通話し、スピーカ３２から発せられるオペレータの音声を聴き取り、その音量（スピーカ３２の音量）が適正レベルであるか否かを判別する。
【００４０】
前記スピーカ３２の音量が適正レベルではないとき、例えば適正レベルよりも小さいときは、作業者は、スピーカ３２の音量が適正レベルとなるように、非常呼ボタン４を所定回数押し、スピーカ３２の音量を増大させる。
【００４１】
このようにして、スピーカ３２の音量が調整（調整）され、最後に、作業者は、機械室に行き、監視・通信装置７の切替スイッチ７６を操作して、通常モードに設定する。
【００４２】
以上説明したように、このエレベータ１によれば、非常呼ボタン４を操作してインターホン３のスピーカ３２の音量を調整（設定）することができ、これにより、作業者は、篭２と機械室との間を行ったり、来たりする必要がなく、その篭２内においてスピーカ３２の音量調整（音量設定）の作業を行うことができる。これによって、スピーカ３２の音量調整を容易かつ迅速に行うことができる。
【００４３】
また、作業者は、監視センター側のオペレータと通話し、スピーカ３２の音量を確認しつつ、その音量を調整することができるので、スピーカ３２の音量調整をさらに容易かつ迅速に行うことができる。
【００４４】
以上、本考案のエレベータを、図示の実施形態に基づいて説明したが、本考案はこれに限定されるものではなく、各部の構成は、同様の機能を有する任意の構成のものに置換することができる。また、本考案に、他の任意の構成物が付加されていてもよい。
【図面の簡単な説明】
【００４５】
【図１】本考案のエレベータの実施形態を示す斜視図（一部はブロック図）である。
【図２】図１に示すエレベータの篭の内部の内扉側を示す正面図である。
【図３】図１に示すエレベータのインターホン、非常呼ボタンおよび監視・通信装置を示すブロック図である。
【符号の説明】
【００４６】
１              エレベータ
２              篭
２１            内扉
２２            内壁
３              インターホン
３１            マイクロホン
３２            スピーカ
４              非常呼ボタン
５              操作部
６              表示部
７              監視・通信装置
７１            監視部
７２            通信部
７３            記憶部
７４            音量調整機構
７５            電源スイッチ
７６            切替スイッチ
８              電話機
【図１】
0003147778.tif 000003
【図２】
0003147778.tif 000004
【図３】
0003147778.tif 000005